(57)【要約】【課題】  複数の電子機器搭載装置のそれぞれに含まれる電子機器の動作状態を示す動作状態情報を比較的低価格で収集することができる電子機器搭載装置を提供する。【解決手段】  電子機器搭載装置１は、少なくとも一つの電子機器１２と、動作状態収集手段１０とを備える。動作状態収集手段１０は、電子機器１２の動作状態を示す動作状態情報を取得する処理と、動作状態要求信号を電子機器搭載装置２に送信する処理と、電子機器搭載装置２から送信されてくる動作状態通知信号を受信する処理とを実行する。電子機器搭載装置２は、少なくとも一つの電子機器２２と、上記動作状態要求信号の受信に応答して電子機器２２の動作状態を示す動作状態情報を含む上記動作状態通知信号を電子機器搭載装置１に送信する制御手段２１とを含む。【選択図】      図１
2015185057.tif 000002
【特許請求の範囲】
【請求項１】
他の電子機器搭載装置に含まれる電子機器の動作状態を示す動作状態情報を要求する動作状態要求信号を前記他の電子機器搭載装置に送信する動作状態要求信号送信処理と、
前記動作状態要求信号に応答して前記他の電子機器搭載装置から送信されてくる前記動作状態情報を含む動作状態通知信号を受信する動作状態通知信号受信処理と
を実行する動作状態収集手段
を含むことを特徴とする電子機器搭載装置。
【請求項２】
少なくとも１つの第１の電子機器と、
前記第１の電子機器の動作状態を示す第１の動作状態情報を前記第１の電子機器から取得する第１の動作状態情報取得処理と、他の電子機器搭載装置に含まれる第２の電子機器の動作状態を示す第２の動作状態情報を要求する動作状態要求信号を前記他の電子機器搭載装置に送信する動作状態情報要求処理と、前記動作状態要求信号に応答して前記他の電子機器搭載装置から送信されてくる前記第２の動作状態情報を含む動作状態通知信号を受信する第２の動作状態情報取得処理とを実行する動作状態収集手段と
から構成されたことを特徴とする電子機器搭載装置。
【請求項３】
少なくとも１つの電子機器と、
他の電子機器搭載装置から送信された自電子機器搭載装置宛の動作状態要求信号に応答して、前記電子機器の動作状態を示す動作状態情報を含む動作状態通知信号を前記他の電子機器搭載装置に送信する制御手段
を含むことを特徴とする電子機器搭載装置。
【請求項４】
第１の電子機器搭載装置と、
第２の電子機器搭載装置と
を備え、
前記第１の電子機器搭載装置は、
少なくとも一つの第１の電子機器と、
前記第１の電子機器の動作状態を示す第１の動作状態情報を前記第１の電子機器から取得する第１の動作状態情報取得処理と、動作状態要求信号を前記第２の電子機器搭載装置に送信する動作状態情報要求処理と、前記第２の電子機器搭載装置から送信されてくる動作状態通知信号を受信する第２の動作状態情報取得処理とを実行する動作状態収集手段と
を含み、
前記第２の電子機器搭載装置は、
少なくとも一つの第２の電子機器と、
前記動作状態要求信号の受信に応答して、前記第２の電子機器の動作状態を示す第２の動作状態情報を含む前記動作状態通知信号を前記第１の電子機器搭載装置に送信する制御手段と
を含む
ことを特徴とする動作状態情報収集システム。
【請求項５】
第１の電子機器搭載装置と、
第２の電子機器搭載装置と、
第３の電子機器搭載装置と
を備え、
前記第１の電子機器搭載装置は、
少なくとも一つの第１の電子機器と、
前記第１の電子機器の動作状態を示す第１の動作状態情報を前記第１の電子機器から取得する第１の動作状態情報取得処理と、第１の動作状態要求信号を前記第２および第３の電子機器搭載装置に送信する第１の動作状態情報要求処理と、前記第２および第３の電子機器搭載装置から送信されてくる第２および第３の動作状態通知信号を受信する第２の動作状態情報取得処理とを実行する第１の動作状態収集手段と、
前記第１の動作状態収集手段が使用できない場合に、前記第２の電子機器搭載装置から送信されてくる第２の動作状態要求信号の受信に応答して、前記第１の動作状態情報を含む第１の動作状態通知信号を前記第２の電子機器搭載装置に送信する制御手段と
を含み、
前記第２の電子機器搭載装置は、
少なくとも一つの第２の電子機器と、
前記第１の動作状態収集手段が使用できない場合に、前記第２の電子機器の動作状態を示す第２の動作状態情報を前記第２の電子機器から取得する第２の動作状態情報取得処理と、前記第２の動作状態要求信号を前記第１および第３の電子機器搭載装置に送信する第２の動作状態情報要求処理と、前記第１および第３の電子機器搭載装置から送信されてくる前記第１および第３の動作状態通知信号を受信する第２の動作状態情報取得処理とを実行する第２の動作状態収集手段と
前記第１の動作状態要求信号の受信に応答して、前記第２の動作状態情報を含む第２の動作状態通知信号を前記第１の電子機器搭載装置に送信する制御手段と
を含み、
前記第３の電子機器搭載装置は、
少なくとも一つの第３の電子機器と、
前記第１の動作状態要求信号の受信に応答して、前記第３の電子機器の動作状態を示す第３の動作状態情報を含む前記第３の動作状態通知信号を前記第１の電子機器搭載装置に送信するとともに、前記第２の動作状態要求信号の受信に応答して、前記第３の動作状態通知信号を前記第２の電子機器搭載装置に送信する制御手段と
を含む
ことを特徴とする動作状態情報収集システム。
【請求項６】
第１の電子機器搭載装置が、動作状態要求信号を第２の電子機器搭載装置に送信する動作状態要求信号送信ステップと、
前記第２の電子機器搭載装置が、前記動作状態要求信号に応答して、前記第２の電子機器搭載装置に含まれる電子機器の動作状態を示す動作状態情報を含む動作状態通知信号を前記第１の電子機器搭載装置に送信する動作状態通知信号送信ステップと
を含むことを特徴とする動作状態情報収集方法。
【請求項７】
第１の電子機器搭載装置が、該第１の電子機器搭載装置に含まれる第１の電子機器の動作状態を示す第１の動作状態情報を前記第１の電子機器から取得する動作状態情報取得ステップと、
前記第１の電子機器搭載装置が、動作状態要求信号を第２の電子機器搭載装置に送信する動作状態情報要求ステップと、
前記第２の電子機器搭載装置が、前記動作状態要求信号に応答して、前記第２の電子機器搭載装置に含まれる第２の電子機器の動作状態を示す第２の動作状態情報を含む動作状態通知信号を前記第１の電子機器搭載装置に送信する動作状態通知信号送信ステップと
を含むことを特徴とする動作状態情報収集方法。
【発明の詳細な説明】
【技術分野】
【０００１】
本発明は、電子機器搭載装置、動作状態情報収集システムおよび動作状態情報収集方法に関し、特に、電子機器搭載装置に含まれる電子機器の動作状態を示す動作状態情報を収集するための電子機器搭載装置、動作状態情報収集システムおよび動作状態情報収集方法に関する
【背景技術】
【０００２】
複数の電子機器（例えば、サーバ）と、該複数の電子機器を管理するために、該複数の電子機器のそれぞれの動作状態を示す動作状態情報を該複数の電子機器から収集する動作状態収集手段と、該複数の電子機器および該動作状態収集手段を搭載した筐体とを備えた電子機器搭載装置が知られている。
【０００３】
なお、関連技術として、特許文献１には、１つのブレードサーバシステムに含まれる複数のブレードサーバのＢＩＯＳプログラムを、１つの管理モジュールで管理するための技術が記載されている。
【０００４】
また、特許文献２乃至４には、コンピュータやディスクアレイ装置などの複数の電子機器を、ある特定の管理装置を設けて監視・制御するための技術が記載されている。
【先行技術文献】
【特許文献】
【０００５】
【特許文献１】特開２００９−１９３４５３号公報
【特許文献２】特開平０８−３２０８１６号公報
【特許文献３】再特ＷＯ２０１２／０２３１８３号公報
【特許文献４】特開２００８−０９０３５２号公報
【発明の概要】
【発明が解決しようとする課題】
【０００６】
しかしながら、上述した電子機器搭載装置では、複数の電子機器搭載装置を使用する場合にも、各電子機器搭載装置に動作状態収集手段が搭載されるため、その分だけ高価になるという問題点がある。
【０００７】
なお、特許文献１には、複数のブレードサーバシステムを使用する構成は記載されていない。
【０００８】
また、特許文献２乃至４には、複数の電子機器を搭載した複数の筐体を使用する構成は記載されていない。
【０００９】
本発明の目的は、上述した問題点を解決できる電子機器搭載装置、動作状態情報収集システムおよび動作状態情報収集方法を提供することにある。
【課題を解決するための手段】
【００１０】
本発明の第１の電子機器搭載装置は、
他の電子機器搭載装置に含まれる電子機器の動作状態を示す動作状態情報を要求する動作状態要求信号を前記他の電子機器搭載装置に送信する動作状態要求信号送信処理と、
前記動作状態要求信号に応答して前記他の電子機器搭載装置から送信されてくる前記動作状態情報を含む動作状態通知信号を受信する動作状態通知信号受信処理と
を実行する動作状態収集手段
を含む。
【００１１】
また、本発明の第２の電子機器搭載装置は、
少なくとも１つの第１の電子機器と、
前記第１の電子機器の動作状態を示す第１の動作状態情報を前記第１の電子機器から取得する第１の動作状態情報取得処理と、他の電子機器搭載装置に含まれる第２の電子機器の動作状態を示す第２の動作状態情報を要求する動作状態要求信号を前記他の電子機器搭載装置に送信する動作状態情報要求処理と、前記動作状態要求信号に応答して前記他の電子機器搭載装置から送信されてくる前記第２の動作状態情報を含む動作状態通知信号を受信する第２の動作状態情報取得処理とを実行する動作状態収集手段と
を含む。
【００１２】
また、本発明の第３の電子機器搭載装置は、
少なくとも１つの電子機器と、
他の電子機器搭載装置から送信された自電子機器搭載装置宛の動作状態要求信号に応答して、前記電子機器の動作状態を示す動作状態情報を含む動作状態通知信号を前記他の電子機器搭載装置に送信する制御手段
を含む。
【００１３】
さらに、本発明の第１の動作状態情報収集システムは、
第１の電子機器搭載装置と、
第２の電子機器搭載装置と
を備え、
前記第１の電子機器搭載装置は、
少なくとも一つの第１の電子機器と、
前記第１の電子機器の動作状態を示す第１の動作状態情報を前記第１の電子機器から取得する第１の動作状態情報取得処理と、動作状態要求信号を前記第２の電子機器搭載装置に送信する動作状態情報要求処理と、前記第２の電子機器搭載装置から送信されてくる動作状態通知信号を受信する第２の動作状態情報取得処理とを実行する動作状態収集手段と
を含み、
前記第２の電子機器搭載装置は、
少なくとも一つの第２の電子機器と、
前記動作状態要求信号の受信に応答して、前記第２の電子機器の動作状態を示す第２の動作状態情報を含む前記動作状態通知信号を前記第１の電子機器搭載装置に送信する制御手段と
を含む。
【００１４】
また、本発明の第２の動作状態情報収集システムは、
第１の電子機器搭載装置と、
第２の電子機器搭載装置と、
第３の電子機器搭載装置と
を備え、
前記第１の電子機器搭載装置は、
少なくとも一つの第１の電子機器と、
前記第１の電子機器の動作状態を示す第１の動作状態情報を前記第１の電子機器から取得する第１の動作状態情報取得処理と、第１の動作状態要求信号を前記第２および第３の電子機器搭載装置に送信する第１の動作状態情報要求処理と、前記第２および第３の電子機器搭載装置から送信されてくる第２および第３の動作状態通知信号を受信する第２の動作状態情報取得処理とを実行する第１の動作状態収集手段と、
前記第１の動作状態収集手段が使用できない場合に、前記第２の電子機器搭載装置から送信されてくる第２の動作状態要求信号の受信に応答して、前記第１の動作状態情報を含む第１の動作状態通知信号を前記第２の電子機器搭載装置に送信する制御手段と
を含み、
前記第２の電子機器搭載装置は、
少なくとも一つの第２の電子機器と、
前記第１の動作状態収集手段が使用できない場合に、前記第２の電子機器の動作状態を示す第２の動作状態情報を前記第２の電子機器から取得する第２の動作状態情報取得処理と、前記第２の動作状態要求信号を前記第１および第３の電子機器搭載装置に送信する第２の動作状態情報要求処理と、前記第１および第３の電子機器搭載装置から送信されてくる前記第１および第３の動作状態通知信号を受信する第２の動作状態情報取得処理とを実行する第２の動作状態収集手段と
前記第１の動作状態要求信号の受信に応答して、前記第２の動作状態情報を含む第２の動作状態通知信号を前記第１の電子機器搭載装置に送信する制御手段と
を含み、
前記第３の電子機器搭載装置は、
少なくとも一つの第３の電子機器と、
前記第１の動作状態要求信号の受信に応答して、前記第３の電子機器の動作状態を示す第３の動作状態情報を含む前記第３の動作状態通知信号を前記第１の電子機器搭載装置に送信するとともに、前記第２の動作状態要求信号の受信に応答して、前記第３の動作状態通知信号を前記第２の電子機器搭載装置に送信する制御手段と
を含む。
【００１５】
さらに、本発明の第１の動作状態情報収集方法は、
第１の電子機器搭載装置が、動作状態要求信号を第２の電子機器搭載装置に送信する動作状態要求信号送信ステップと、
前記第２の電子機器搭載装置が、前記動作状態要求信号に応答して、前記第２の電子機器搭載装置に含まれる電子機器の動作状態を示す動作状態情報を含む動作状態通知信号を前記第１の電子機器搭載装置に送信する動作状態通知信号送信ステップと
を含む。
【００１６】
また、本発明の第２の動作状態情報収集方法は、
第１の電子機器搭載装置が、該第１の電子機器搭載装置に含まれる第１の電子機器の動作状態を示す第１の動作状態情報を前記第１の電子機器から取得する動作状態情報取得ステップと、
前記第１の電子機器搭載装置が、動作状態要求信号を第２の電子機器搭載装置に送信する動作状態情報要求ステップと、
前記第２の電子機器搭載装置が、前記動作状態要求信号に応答して、前記第２の電子機器搭載装置に含まれる第２の電子機器の動作状態を示す第２の動作状態情報を含む動作状態通知信号を前記第１の電子機器搭載装置に送信する動作状態通知信号送信ステップと
を含む。
【発明の効果】
【００１７】
本発明には、複数の電子機器搭載装置を使用する場合に、各電子機器搭載装置に動作情報収集手段を搭載する場合と比較して、価格を抑えることができるという効果がある。
【図面の簡単な説明】
【００１８】
【図１】本発明の第１の実施形態を示すブロック図である。
【図２】本発明の第１の実施形態における動作状態収集手段１０の動作を示すフローチャートである。
【図３】本発明の第１の実施形態における制御手段１１、２１および３１の動作を示すフローチャートである。
【図４】本発明の第２の実施形態を示すブロック図である。
【図５】本発明の第３の実施形態を示すブロック図である。
【発明を実施するための形態】
【００１９】
次に、本発明の実施形態について図面を参照して詳細に説明する。
【００２０】
［第１の実施形態］
図１は本発明の第１の実施形態を示すブロック図である。
【００２１】
図１を参照すると、本実施形態は、３台の電子機器搭載装置１乃至３と、端末５とから構成される。
【００２２】
電子機器搭載装置１は、動作状態収集手段１０と、制御手段１１と、少なくとも１つの電子機器１２と、自装置識別情報記憶手段１３と、調査対象装置識別情報記憶手段１４と、動作状態情報記憶手段１５とを含む。
【００２３】
電子機器搭載装置２は、制御手段２１と、少なくとも１つの電子機器２２と、自装置識別情報記憶手段２３とを含む。
【００２４】
電子機器搭載装置３は、制御手段３１と、少なくとも１つの電子機器３２と、自装置識別情報記憶手段３３とを含む。
【００２５】
電子機器搭載装置１乃至３には、それぞれ固有の装置識別情報が割り当てられている。
【００２６】
自装置識別情報記憶手段１３、２３および３３は、それぞれ自身を含む電子機器搭載装置１、２および３に割り当てられた装置識別情報を記憶している。例えば、自装置識別情報記憶手段１３は、自装置識別情報記憶手段１３を含む電子機器搭載装置１に割てられた装置識別情報を記憶している。
【００２７】
動作状態収集手段１０と制御手段１１と制御手段２１と制御手段３１とは信号線４０を介して相互に接続されている。
【００２８】
端末５は、ユーザが情報を入力するためのキーボード等の入力手段（図示せず）と、各種の情報を表示するためのディスプレイ等の出力手段（図示せず）とを備える。
【００２９】
動作状態収集手段１０は、後述するように、電子機器１２、２２および３２の全てまたは少なくとも一つの動作状態を示す動作状態情報を収集する。ここで、動作状態とは、例えば、各電子機器内の各部の温度を示す温度値や、各電子機器内の各部を流れる電流の値や、各電子機器内の各部での障害発生の有無および障害内容等である。
【００３０】
係る動作状態情報の収集のために、動作状態収集手段１０は、信号線４０に動作状態要求信号を送出するとともに、信号線４０から動作状態通知信号を受信する。
【００３１】
本実施形態では、動作状態要求信号は、該動作状態要求信号の送信先の電子機器搭載装置１、２または３に割り当てられた装置識別情報である送信先装置識別情報と、動作状態収集手段１０を含む電子機器搭載装置１に割り当てられた装置識別情報である送信元装置識別情報と、動作状態の報告を指示する報告指示情報とを含む。また、動作状態通知信号は、動作状態収集手段１０を含む電子機器搭載装置１に割り当てられた装置識別情報である送信先装置識別情報と、当該動作状態通知信号の送信元の電子機器搭載装置１、２または３に割り当てられた装置識別情報である送信元装置識別情報と、当該動作状態通知信号の送信元である電子機器搭載装置１、２または３内の電子機器の動作状態を示す動作状態情報とを含む。
【００３２】
次に、本実施形態の動作について詳細に説明する。
【００３３】
図２は、動作状態収集手段１０の動作を示すフローチャートである。
【００３４】
図２を参照すると、まず、動作状態収集手段１０は、端末５から、調査開始指示と、電子機器搭載装置１乃至３のうちの少なくとも一つ（すなわち、調査の対象である電子機器搭載装置）に割り当てられている装置識別情報とを受け取り、当該装置識別情報を調査対象装置識別情報記憶手段１４に記憶する（ステップＳ１００）。
【００３５】
次に、動作状態収集手段１０は、調査対象装置識別情報記憶手段１４に装置識別情報が記憶されているか否かを判定する（ステップＳ１０１）。
【００３６】
ステップＳ１０１において、調査対象装置識別情報記憶手段１４に装置識別情報が記憶されている場合（ステップＳ１０１でＹＥＳの場合）には、動作状態収集手段１０は、調査対象装置識別情報記憶手段１４に記憶されている装置識別情報のうちの一つを選択し、送信先装置識別情報としての当該選択された装置識別情報と、送信元装置識別情報としての、動作状態収集手段１０を含む電子機器搭載装置１に割り当てられた装置識別情報と、報告指示情報とを含む動作状態要求信号を作成する（ステップＳ１０２）。
【００３７】
次に、動作状態収集手段１０は、ステップＳ１０２で作成された動作状態要求信号を信号線４０に送出する（ステップＳ１０３）。
【００３８】
制御手段１１、２１および３１は信号線４０を介して動作状態要求信号を受信する。
【００３９】
制御手段１１、２１および３１のそれぞれは、受信した動作状態要求信号に対して、図３に示す処理を行う。
【００４０】
すなわち、まず、各制御手段は、動作状態要求信号を信号線４０を介して受信し（ステップＳ２００）、自身を含む電子機器搭載装置に含まれる自装置識別情報記憶手段に記憶されている装置識別情報と、受信した動作状態要求信号に含まれる送信先装置識別情報とが一致するか否かを判定する（ステップＳ２０１）。
【００４１】
例えば、制御手段２１は、動作状態要求信号を信号線４０を介して受信し、制御手段２１を含む電子機器搭載装置２に含まれる自装置識別情報記憶手段２３に記憶されている装置識別情報と、受信された動作状態要求信号に含まれる送信先装置識別情報とが一致するか否かを検出する。
【００４２】
ステップＳ２０１において、一致が検出された場合（ステップＳ２０１でＹＥＳの場合）には、受信した動作状態要求信号に含まれる報告指示情報に応答して、各制御手段は、自身を含む電子機器搭載装置に含まれる電子機器の動作状態を示す動作状態情報を当該電子機器から取得する。
【００４３】
例えば、制御手段２１が、ステップＳ２０１において、一致を検出した場合には、受信した動作状態要求信号に含まれる報告指示情報に応答して、制御手段２１は、制御手段２１を含む電子機器搭載装置２に含まれる電子機器２２の動作状態を示す動作状態情報を電子機器２２から取得する。
【００４４】
次に、各制御手段は、こうして取得した動作状態情報を含む動作状態通知信号を作成する（ステップＳ２０２）。
【００４５】
具体的には、各制御手段は、送信元装置識別情報としての、自身を含む電子器機器搭載装置に含まれる自装置識別情報記憶手段に記憶されている装置識別情報と、送信先装置識別情報としての、ステップＳ２００で受信した動作状態要求信号に含まれている送信元装置識別情報と、取得した動作状態情報とを含む動作状態通知信号を作成する。
【００４６】
例えば、制御手段２１は、送信元装置識別情報としての、制御手段２１を含む電子器機器搭載装置２に含まれる自装置識別情報記憶手段２３に記憶されている装置識別情報と、送信先装置識別情報としての、ステップＳ２００で受信した動作状態要求信号に含まれている送信元装置識別情報と、取得した動作状態情報とを含む動作状態通知信号を作成する。
【００４７】
次に、各制御手段は、作成した動作状態通知信号を信号線４０に送出する（ステップＳ２０３）。
【００４８】
例えば、制御手段２１は、作成した動作状態通知信号を信号線４０に送出する。
【００４９】
一方、ステップＳ２０１において、一致が検出されない場合（ステップＳ２０１でＮＯの場合）には、各制御手段は、何も処理を行わない。
【００５０】
例えば、制御手段２１が、ステップＳ２０１において、一致を検出しない場合には、制御手段２１は、何も処理を行わない。
【００５１】
制御手段１１、２１および３１のそれぞれは、受信した動作状態要求信号に対して以上のような処理を行う。
【００５２】
次に、動作状態収集手段１０は、信号線４０から動作状態通知信号を受け取り（図２のステップＳ１０４）、調査対象装置識別情報記憶手段１４に記憶されている装置識別情報のうちの、該動作状態通知信号に含まれる送信元装置識別情報と一致する装置識別情報を消去するとともに、該動作状態通知信号に含まれる動作状態情報を動作状態情報記憶手段１５に記憶する。
【００５３】
その後、動作状態収集手段１０は、ステップＳ１０１の処理に戻る。
【００５４】
一方、ステップＳ１０１において、調査対象装置識別情報記憶手段１４に装置識別情報が記憶されていない場合（ステップＳ１０１でＮＯの場合）には、動作状態収集手段１０は、動作状態情報記憶手段１５に記憶されている動作状態情報を端末５に送信する（ステップＳ１０５）。
【００５５】
以上、本実施形態には、複数の電子機器搭載装置を使用する場合に、各電子機器搭載装置に動作情報収集手段を搭載する場合と比較して、価格を抑えることができるという効果がある。
【００５６】
その理由は、複数の電子機器搭載装置のそれぞれに含まれる電子機器の動作状態を示す動作状態情報を収集することができる動作状態収集手段を、該複数の電子機器搭載装置のうちの１つにだけ搭載されるようにしたからである。
【００５７】
［第２の実施形態］
次に、本発明の第２の実施形態について説明する。
【００５８】
図４は第２の実施形態を示すブロック図である。
【００５９】
図１および図４を参照すると、本実施形態と第１の実施形態との相異点は、本実施形態では、電子機器搭載装置３内に動作状態収集手段３０と、調査対象装置識別情報記憶手段３４と、動作状態情報記憶手段３５とが設けられている点である。
【００６０】
本実施形態では、通常は、動作状態収集手段１０を使用して、第１の実施形態と同様の動作が行われている。ある時点で、動作状態収集手段１０に何らかの障害が発生すると、端末５からの切り替え信号により、動作状態収集手段１０の使用から動作状態収集手段３０の使用に切り替えられ、以降、動作状態収集手段３０と、調査対象装置識別情報記憶手段３４と、動作状態情報記憶手段３５とを使用して、第１の実施形態と同様の動作が行われる。
【００６１】
なお、動作状態収集手段３０、調査対象装置識別情報記憶手段３４および動作状態情報記憶手段３５はそれぞれ動作状態収集手段１０、調査対象装置識別情報記憶手段１４および動作状態情報記憶手段１５と同じ動作を行うことは言うまでもない。
【００６２】
以上、本実施形態には、第１の実施形態の効果に加え、動作状態収集手段１０を使用できなくなった場合でも、各電子機器搭載装置に含まれる電子機器の動作状態を示す動作状態情報を収集できるという効果がある。
【００６３】
その理由は、通常使用される動作状態収集手段１０と同じ動作を行う動作状態収集手段３０を追加し、動作状態収集手段１０を使用できなくなった場合には、動作状態収集手段３０を使用するようにしたからである。
【００６４】
［第３の実施形態］
次に、本発明の第３の実施形態について説明する。
【００６５】
図５は第３の実施形態を示すブロック図である。
【００６６】
図５を参照すると、本実施形態は、電子機器搭載装置１および２から構成される。
【００６７】
電子機器搭載装置１は、動作状態収集手段１０を含む。
【００６８】
電子機器搭載装置２は、電子機器２２を含む。
【００６９】
動作状態収集手段１０は、電子機器搭載装置２に含まれる電子機器２２の動作状態を示す動作状態情報を要求する動作状態要求信号を電子機器搭載装置２に送信し、係る動作状態要求信号に応答して電子機器搭載装置２から送信されてくる、電子機器２２の動作状態を示す、動作状態情報を含む動作状態通知信号を受信する。
【００７０】
以上、本実施形態には、各電子機器搭載装置に動作情報収集手段を搭載する場合と比較して、価格を抑えることができるという効果がある。
【００７１】
その理由は、動作状態収集手段を、複数の電子機器搭載装置のうちの１つにだけ搭載するようにしたからである。
【符号の説明】
【００７２】
１    電子機器搭載装置
２    電子機器搭載装置
３    電子機器搭載装置
５    端末
１０    動作状態収集手段
１１    制御手段
１２    電子機器
１３    自装置識別情報記憶手段
１４    調査対象装置識別情報記憶手段
１５    動作状態情報記憶手段
２１    制御手段
２２    電子機器
２３    自装置識別情報記憶手段
３０    動作状態収集手段
３１    制御手段
３２    電子機器
３３    自装置識別情報記憶手段
３４    調査対象装置識別情報記憶手段
３５    動作状態情報記憶手段
４０    信号線
【図１】
2015185057.tif 000003
【図２】
2015185057.tif 000004
【図３】
2015185057.tif 000005
【図４】
2015185057.tif 000006
【図５】
2015185057.tif 000007